(57)【要約】      （修正有）【課題】原稿画像に対する付加オブジェクトを削除して元原稿の復元を容易且つ確実に行うことが可能な画像形成装置を提供する。【解決手段】原稿画像の読み取りによって生成された画像データからオブジェクトの属性を認識するオブジェクト認識部１１と、オブジェクト認識部１１により認識された原稿画像に対する手書きオブジェクトを削除する削除部１３と、手書きオブジェクトの削除領域を異なる処理で補完する複数の補完部、イメージ用補完部３５、ベクター用補完部３７、テキスト用補完部３９と、手書きオブジェクトに対する背景オブジェクトの属性に応じ相対的に補完性の高い処理で補完を行う補完部を選択する選択部１７とを備える。【選択図】図１
2015159554.tif 000002
【特許請求の範囲】
【請求項１】
原稿画像の読み取りによって生成された画像データからオブジェクトの属性を認識するオブジェクト認識部と、
前記オブジェクト認識部により認識された前記原稿画像に対する付加オブジェクトを削除する削除部と、
前記付加オブジェクトの削除領域をそれぞれ異なる処理で補完する機能を有する複数の補完部と、
前記付加オブジェクトに対する背景オブジェクトの属性に対応するオブジェクトの空白を埋める処理で前記補完を行う補完部を選択する選択部とを備え、
前記背景オブジェクトの属性は、イメージ、ベクター、及びテキストを含み、
前記複数の補完部は、イメージオブジェクト中の空白を埋めて削除領域を補完するイメージ用補完部、ベクターオブジェクト中の空白を埋めて削除領域を補完するベクター用補完部、及びテキストオブジェクト中の空白を埋めて削除領域を補完するテキスト用補完部を有し、
前記選択された補完部が、削除領域を補完する、
ことを特徴とする画像処理装置。
【請求項２】
請求項１記載の画像処理装置であって、
前記付加オブジェクトは、前記原稿画像上に手書きされた手書きオブジェクトである、
ことを特徴とする画像処理装置。
【請求項３】
請求項１又は２記載の画像処理装置であって、
前記削除部は、前記付加オブジェクトの削除と共に前記記憶部内の付加オブジェクトのオブジェクト情報を削除し、
前記補完部は、前記補完後の画像データを前記記憶部内に上書きする、
ことを特徴とする画像処理装置。
【請求項４】
請求項１〜３の何れか１項記載の画像処理装置であって、
前記イメージ用補完部は、空白部分の周囲の画素に基づき空白部分を埋め、前記ベクター用補完部は、ベクターオブジェクトのベクトル化によって空白を埋め、前記テキスト用補完部は、テキストオブジェクト内のフォントと記憶部内に保持しているフォントとの比較により、対応するフォントに一致又は近似させるように空白部分を埋める、
ことを特徴とする画像処理装置。
【請求項５】
請求項１〜４の何れか１項記載の画像処理装置であって、
前記ベクター用補完部は、ベクトル化が困難な場合、ベクターオブジェクトをイメージオブジェクトとしてイメージ用補完部により補完させる、
ことを特徴とする画像処理装置。
【請求項６】
原稿画像の読み取りによって生成された画像データからオブジェクトの属性を認識するオブジェクト認識手順と、
前記オブジェクト認識手順により認識された前記原稿画像に対する付加オブジェクトを削除する削除手順と、
前記付加オブジェクトの削除領域をそれぞれ異なる処理で補完する機能を有する複数の補完手順と、
前記付加オブジェクトに対する背景オブジェクトの属性に対応するオブジェクトの空白を埋める処理で前記補完を行う補完手順を選択する選択手順と、
をコンピューターに実行させ、
前記背景オブジェクトの属性は、イメージ、ベクター、及びテキストを含み、
前記複数の補完手順は、イメージオブジェクト中の空白を埋めて削除領域を補完するイメージ用補完手順、ベクターオブジェクト中の空白を埋めて削除領域を補完するベクター用補完手順、及びテキストオブジェクト中の空白を埋めて削除領域を補完するテキスト用補完手順を有し、
前記選択された補完手順が、削除領域を補完する、
ことを特徴とする画像処理プログラム。
【請求項７】
請求項６記載の画像処理プログラムであって、
前記削除手順は、前記付加オブジェクトの削除と共に前記記憶されている付加オブジェクトのオブジェクト情報を削除し、
前記補完手順は、前記補完後の画像データにより前記記憶手順で記憶された画像データを上書きする、
ことを特徴とする画像処理プログラム。
【請求項８】
請求項６又は７項記載の画像処理プログラムであって、
前記イメージ用補完手順は、空白部分の周囲の画素に基づき空白部分を埋め、前記ベクター用補完手順は、ベクターオブジェクトのベクトル化によって空白を埋め、前記テキスト用補完手順は、テキストオブジェクト内のフォントと記憶部内に保持しているフォントとの比較により、対応するフォントに一致又は近似させるように空白部分を埋める、
ことを特徴とする画像処理プログラム。
【請求項９】
請求項６〜８の何れか１項記載の画像処理プログラムであって、
前記ベクター用補完手順は、ベクトル化が困難な場合、ベクターオブジェクトをイメージオブジェクトとしてイメージ用補完部により補完させる、
ことを特徴とする画像処理プログラム。
【発明の詳細な説明】
【技術分野】
【０００１】
本発明は、原稿画像の読み取りによる画像データから不要なオブジェクトを削除して原
稿画像を復元する画像処理装置及びプログラムに関する。
【背景技術】
【０００２】
近年では、ストレージデバイスの低価格化等に伴い、紙原稿（原稿画像）をスキャンに
よりデータ化して保管・再利用するケースが増えている。そのような画像データに対して
は、ワープロソフト等で利用できるように、文字認識処理を用いてテキストオブジェクト
のコード化を行うＯＣＲ（Optical Character Reader）処理も多く行われるようになった
。
【０００３】
ところが、画像データにおいては、スキャン対象となる原稿画像のテキスト領域に手書
きによる書き込みがあると、その書き込みによる付加オブジェクトが背景となるテキスト
オブジェクトに対するＯＣＲ精度低下の要因となってしまう。
【０００４】
また、テキストオブジェクト以外のイメージオブジェクトやベクターオブジェクトに対
しても、付加オブジェクトが背景となるオブジェクトを浸食することから、画像データを
印刷出力して再配布する場合のように再利用時の不都合があった。
【０００５】
このため、画像データから不要な付加オブジェクトを削除して元原稿を復元する技術が
望まれていた。
【０００６】
これに対し、特許文献１のように手書きによる付加オブジェクトを認識して削除する技
術や特許文献２のようにオブジェクトの削除領域を補完する技術が提案されている。
【０００７】
しかし、特許文献２の技術は、削除領域の周囲の画素からグラデーションを作成して補
完を行うため、イメージオブジェクトの補完に適しているものの、テキストオブジェクト
の補完には不適である。
【０００８】
従って、特許文献１及び２の技術を用いても、付加オブジェクトを削除した後の元原稿
の復元性には限界があった。
【先行技術文献】
【特許文献】
【０００９】
【特許文献１】特開２００５−１７５５６５号公報
【特許文献２】特開平１１−３５５５４８号公報
【発明の概要】
【発明が解決しようとする課題】
【００１０】
本発明が解決しようとする問題点は、原稿画像に対する付加オブジェクトの削除後の元
原稿の復元性に限界があった点である。
【課題を解決するための手段】
【００１１】
本発明は、原稿画像に対する付加オブジェクトを削除して元原稿の復元を容易且つ確実に行うために、原稿画像の読み取りによって生成された画像データからオブジェクトの属性を認識するオブジェクト認識部と、前記オブジェクト認識部により認識された前記原稿画像に対する付加オブジェクトを削除する削除部と、前記付加オブジェクトの削除領域をそれぞれ異なる処理で補完する機能を有する複数の補完部と、前記付加オブジェクトに対する背景オブジェクトの属性に対応するオブジェクトの空白を埋める処理で前記補完を行う補完部を選択する選択部とを備え、前記背景オブジェクトの属性は、イメージ、ベクター、及びテキストを含み、前記複数の補完部は、イメージオブジェクト中の空白を埋めて削除領域を補完するイメージ用補完部、ベクターオブジェクト中の空白を埋めて削除領域を補完するベクター用補完部、及びテキストオブジェクト中の空白を埋めて削除領域を補完するテキスト用補完部を有し、前記選択された補完部が、削除領域を補完することを最も主な特徴とする。
【発明の効果】
【００１２】
本発明によれば、削除領域を有する背景オブジェクトに適した補完を行うことができ、
付加オブジェクトを削除して元原稿の復元を容易且つ確実に行うことができる。
【図面の簡単な説明】
【００１３】
【図１】画像処理装置を示すブロック図である（実施例１）。
【図２】スキャン画像の一例を示す概略図である（実施例１）。
【図３】画像処理装置の動作を示すフローチャートである（実施例１）。
【図４】図３のオブジェクト認識の詳細を示すフローチャートである（実施例１）。
【図５】オブジェクト認識時のスキャン画像を示す概略図である（実施例１）。
【図６】オブジェクトテーブルを示す図表である（実施例１）。
【図７】手書きオブジェクトの削除後のスキャン画像を示す概略図である（実施例１）。
【図８】手書きオブジェクトの削除後のオブジェクトテーブルを示す図表である（実施例１）。
【図９】背景オブジェクトの属性とイメージ用補完部、ベクター用補完部、テキスト用補完部との対応関係を示す図表である（実施例１）。
【図１０】削除領域の補完後のスキャン画像を示す概略図である（実施例１）。
【発明を実施するための形態】
【００１４】
原稿画像に対する付加オブジェクトを削除して元原稿の復元を容易且つ確実に行うとい
う目的を、付加オブジェクトに対する背景オブジェクトの属性に応じ、複数の処理から相
対的に補完性の高い処理を選択して削除領域の補完を行うことで実現した。
【００１５】
付加オブジェクトは、原稿画像への手書きによるものの他、原稿画像上に重なって読み
取られた他の原稿画像やゴミ等であってもよい。
【００１６】
本発明の画像処理装置及びプログラムは、コピー機、デジタル複合機、或いはスキャナ
ー装置等に適用することが可能であり、最終的に元原稿の画像出力を行わせることもでき
る。元原稿の画像出力は、コピー機やデジタル複合機の場合に印刷出力、スキャナー装置
の場合にモニター上への画像出力等で実現される。
【００１７】
以下、本発明の実施例について説明する。
【実施例１】
【００１８】
［画像処理装置］
図１は、本発明の実施例１に係る画像処理装置を示すブロック図である。
【００１９】
図１の画像処理装置１は、例えば、コピー機やデジタル複合機として構成され、少なく
とも紙原稿（原稿画像）を読み取って印刷出力（画像出力）する複写機能を有する。この
ため、画像処理装置１は、画像取得部３と、出力部５と、制御部７と、記憶部９とをハー
ドウェア構成として備えている。
【００２０】
画像取得部３は、光学的に原稿画像を読み取って、原稿画像に対応するスキャン画像の
画像データを生成する。生成した画像データは制御部７及び記憶部９に出力する。
【００２１】
出力部５は、生成された画像データに基づいて用紙上に画像形成（画像出力）する。
【００２２】
制御部７は、ソフトウェアプログラムを実行して各種制御や作業を行わせるＣＰＵ（Ce
ntral Process Unit）等の制御要素である。本実施例では、画像取得部３と出力部５との
間で後述の画像処理を行う。
【００２３】
記憶部９は、各種制御や作業のソフトウェアプログラムやデータを記憶するＲＯＭ（Re
ad Only Memory）、ＲＡＭ（Random Access Memory）、ハードディスク等の記憶装置であ
る。
【００２４】
本実施例の記憶部９は、画像処理のデータとして、画像取得部３から入力された画像デ
ータと共に画像データ上のオブジェクト情報を記憶する。また、ソフトウェアプログラム
としては、画像処理プログラムを保持している。
【００２５】
画像処理プログラムは、制御部７で実行されることにより、画像データから不要な付加
オブジェクトとしての手書きオブジェクトを削除すると共に元原稿を復元する画像処理機
能を与える。具体的には、制御部７が、オブジェクト認識部１１、削除部１３、補完部１
５、及び選択部１７を画像処理の機能構成として備える。
【００２６】
オブジェクト認識部１１は、画像取得部３からの画像データが入力され、そのスキャン
画像中のオブジェクトの属性を認識してオブジェクト情報を記憶部９に記憶する。
【００２７】
図２は、スキャン画像の一例を示す概略図である。
【００２８】
本実施例のスキャン画像Ｇは、写真等の図画からなるイメージ領域ＩＲ、線画からなる
ベクター領域ＶＲ、文字からなるテキスト領域ＴＲ、及び手書き領域ＨＲからなっている
。手書き領域ＨＲは、ユーザーの手書きにより本来の原稿画像（元原稿）上に付加された
ものであり、本実施例では、テキスト領域ＴＲ上に位置している。
【００２９】
これらのイメージ領域ＩＲ、ベクター領域ＶＲ、テキスト領域ＴＲ、及び手書き領域Ｈ
Ｒが、それぞれイメージオブジェクトＩＯ、ベクターオブジェクトＶＯ、テキストオブジ
ェクトＴＯ、及び手書きオブジェクトＨＯとして認識されることになる。
【００３０】
本実施例のオブジェクト認識部１１は、イメージオブジェクト認識部１９、ベクターオ
ブジェクト認識部２１、テキストオブジェクト認識部２３、及び手書きオブジェクト認識
部２５で構成されており、オブジェクト毎に属性認識及びオブジェクト情報の記憶部９へ
の記憶が行われる。
【００３１】
イメージオブジェクト認識部１９は、スキャン画像ＧのイメージオブジェクトＩＯを認
識しオブジェクト情報の記憶を行う。
【００３２】
イメージオブジェクトＩＯの認識は、周知のレイアウト解析技術を用いて行えばよい。
例えば、スキャン画像Ｇから２値画像を生成し、２値画像から得られた黒画素の固まりを
含む矩形領域に基づいて属性を認識する。ベクターオブジェクトＶＯ、テキストオブジェ
クトＴＯの認識についても、同様のレイアウト解析技術を用いればよい。
【００３３】
ベクターオブジェクト認識部２１は、スキャン画像ＧのベクターオブジェクトＶＯを認
識し、テキストオブジェクト認識部２３は、テキストオブジェクトＴＯを認識し、それぞ
れオブジェクト情報を記憶部９に記憶する。
【００３４】
手書きオブジェクト認識部２５は、スキャン画像Ｇの手書きオブジェクトＨＯを認識し
、そのオブジェクト情報を記憶部９に記憶する。手書きオブジェクトＨＯの認識は、例え
ば本出願人の特開２００５−１７５５６５号公報のように、スキャン画像Ｇ上の線分の長
さ及び線分の色スペクトラムに基づいて行えばよい。
【００３５】
削除部１３は、記憶部９からスキャン画像Ｇを取得し、手書きオブジェクトを削除する
。この削除部１３は、手書きオブジェクト取得部２７と、背景オブジェクト取得部２９と
、スキャン画像取得部３１と、削除実行部３３とを備えている。
【００３６】
手書きオブジェクト取得部２７は、記憶部９から手書きオブジェクトＨＯのオブジェク
ト情報（手書きレコード）を検索する。手書きレコードがある場合には、背景オブジェク
ト取得部２９及び削除実行部３３へ手書きレコードを出力すると共にスキャン画像取得部
３１の出力先を削除実行部３３に切り換える。手書きレコードがない場合は、スキャン画
像取得部３１の出力先を出力部５へ切り換える。
【００３７】
背景オブジェクト取得部２９は、手書きオブジェクト取得部２７から入力された手書き
レコードに基づいて、手書きオブジェクトＨＯの背景となるオブジェクトに関するオブジ
ェクト情報（背景レコード）を記憶部９から検索する。検索された背景レコードは、削除
実行部３３及び選択部１７へ出力される。
【００３８】
スキャン画像取得部３１は、記憶部９からスキャン画像Ｇを取得し、上記出力先の切替
に応じて削除実行部３３又は出力部５へ出力する。
【００３９】
削除実行部３３は、スキャン画像Ｇ中の手書きオブジェクトＨＯを削除し、削除後のス
キャン画像（削除後スキャン画像）を補完部１５へ出力する。削除は、スキャン画像取得
部３１からのスキャン画像Ｇ、手書きオブジェクト取得部２７からの手書きレコード、背
景オブジェクト取得部２９からの背景レコードに基づいて行われる。また、削除実行部３
３は、記憶部９から手書きレコードの削除も行う。
【００４０】
補完部１５は、削除後スキャン画像に基づいて手書きオブジェクトＨＯの削除領域（空
白）を異なる処理で補完するものであり、イメージ用補完部３５、ベクター用補完部３７
、テキスト用補完部３９を備えている。
【００４１】
イメージ用補完部３５は、イメージオブジェクトＩＯ中の空白を埋めて補完を行う。具
体的には、空白部分の周囲の画素からグラデーションを作成し、作成されたグラデーショ
ンにより空白部分を埋める。
【００４２】
ベクター用補完部３７は、ベクターオブジェクトＶＯ中の空白を埋めて補完を行うもの
であり、ベクターオブジェクトＶＯのベクトル化によって実現できる。なお、ベクトル化
が困難な場合は、ベクターオブジェクトＶＯをイメージオブジェクトＩＯとしてイメージ
用補完部３５による補完を行わせればよい。
【００４３】
テキスト用補完部３９は、テキストオブジェクトＴＯ中の空白を埋めて補完を行う。補
完は、テキストオブジェクトＴＯ内のフォントと記憶部９内に保持しているフォントとの
比較により、対応するフォントに一致又は近似させるように空白部分を埋めればよい。
【００４４】
これらのイメージ用補完部３５、ベクター用補完部３７、テキスト用補完部３９は、補
完後のスキャン画像（補完スキャン画像）により記憶部９内の画像データを上書きする。
【００４５】
選択部１７は、手書きオブジェクトＨＯに対する背景オブジェクトの属性に応じ、イメ
ージ用補完部３５、ベクター用補完部３７、及びテキスト用補完部３９から相対的に補完
性の高い処理で補完を行うものを選択する。
【００４６】
選択は、背景オブジェクト取得部２９からの背景レコードに基づいて行われる。選択部
１７は、削除実行部３３の削除後データの出力先を、背景オブジェクトの属性によりイメ
ージ用補完部３５、ベクター用補完部３７、及びテキスト用補完部３９の何れかとする。
［画像処理装置の動作］
以下、本実施例の画像処理装置の動作と共に画像処理の詳細について説明する。
【００４７】
図３は、本実施例の画像処理装置の動作を示すフローチャートである。
【００４８】
図３のフローチャートは、例えば複写指示入力により画像取得部３によって原稿画像を
読み取ることでスタートする。
【００４９】
ステップＳ１では、「原稿画像取得」の処理が行われ、画像取得部３が読み取った原稿
画像から対応するスキャン画像Ｇの画像データを生成してオブジェクト認識部１１及び記
憶部９へ出力する。これにより、ステップＳ２に移行する。
【００５０】
ステップＳ２では、「オブジェクト認識」の処理が行われる。この処理では、オブジェ
クト認識部１１がスキャン画像Ｇから各オブジェクトを認識し、そのオブジェクト情報を
記憶部９に記憶する。
【００５１】
図４は、オブジェクト認識の詳細を示すフローチャート、図５は、オブジェクト認識時
のスキャン画像を示す概略図である。
【００５２】
各オブジェクトの認識は、図４のステップＳ２１〜Ｓ２４のように、イメージオブジェ
クトＩＯの認識、ベクターオブジェクトＶＯの認識、テキストオブジェクトＴＯの認識、
手書きオブジェクトＨＯの認識の順に行われる。
【００５３】
イメージオブジェクトＩＯの認識は、図５のように、イメージオブジェクト認識部１９
がスキャン画像Ｇからイメージ領域ＩＲを矩形のイメージオブジェクトＩＯとして認識し
、その属性（「イメージ」）、位置、及び大きさのオブジェクト情報を記憶部９に記憶す
る。本実施例のオブジェクトの位置及び大きさは、図５のスキャン画像Ｇ上において、オ
ブジェクト領域の左上の座標と領域の幅及び高さを(x，y，width，height)として表す。
【００５４】
同様に、ベクターオブジェクトＶＯ、テキストオブジェクトＴＯ、手書きオブジェクト
ＨＯの認識も、それぞれベクターオブジェクト認識部２１、テキストオブジェクト認識部
２３、手書きオブジェクト認識部２５がベクター領域ＶＲ、テキスト領域ＴＲ、手書き領
域ＨＲを矩形のベクターオブジェクトＶＯ、テキストオブジェクトＴＯ、手書きオブジェ
クトＨＯとして認識し、その属性（「ベクター」、「テキスト」、「手書き」）、位置、
及び大きさをオブジェクト情報として記憶部９に記憶する。
【００５５】
オブジェクト情報の記憶は、記憶部９内でオブジェクトテーブルとして行われる。
【００５６】
図６は、オブジェクトテーブルを示す図表である。なお、図６は、本実施例の４つのオ
ブジェクトが登録されている例である。
【００５７】
オブジェクトテーブルは、オブジェクトＩＤカラム、 オブジェクト属性カラム、領域
座標カラムで構成されるテーブルである。
【００５８】
オブジェクトＩＤカラムは、オブジェクトを識別するための０から始まる整数値であり
、入力順にインクリメントされる。
【００５９】
オブジェクト属性カラムは、オブジェクトの属性を示し、「イメージ」、「ベクター」
、「テキスト」、「手書き」となっている。
【００６０】
領域座標カラムは、上記図５のスキャン画像Ｇ上でのオブジェクトの矩形領域の位置及
び大きさの座標を表す。
【００６１】
こうして各オブジェクトのオブジェクト情報の記憶が完了すると、図３のフローチャー
トがステップＳ３へ移行する。
【００６２】
ステップＳ３では、「手書きオブジェクト検索」の処理が実行される。この処理では、
手書きオブジェクト取得部２７が、記憶部９のオブジェクトテーブルから手書きオブジェ
クトを検索する。これによりステップＳ４へ移行する。
【００６３】
ステップＳ４では、「手書きオブジェクト無し？」の処理が実行される。すなわち、手
書きオブジェクト取得部２７は、ステップＳ３での検索の結果、手書きレコードの有無を
判断する。
【００６４】
手書きレコードがない場合（ＹＥＳ）は、スキャン画像取得部３１の出力先を出力部５
に切り替えてステップＳ５へ移行する。一方、手書きレコードがある場合（ＮＯ）は、手
書きレコードを背景オブジェクト取得部２９及び削除実行部３３へ出力すると共に、スキ
ャン画像取得部３１の出力先を削除実行部３３へ切り換えてステップＳ６へ移行する。
【００６５】
ステップＳ６では、「背景オブジェクト判別」の処理が実行される。すなわち、背景オ
ブジェクト取得部２９は、入力された手書きレコードに基づき、手書きオブジェクトＨＯ
の背景となるオブジェクトの背景レコードを記憶部９内のオブジェクトテーブルから判別
して取得する。
【００６６】
本実施例では、背景オブジェクトがテキストオブジェクトＴＯであるため、そのオブジ
ェクト情報を背景レコードとして取得することになる。取得した背景レコードは、削除実
行部３３及び選択部１７へ出力される。こうしてステップＳ６が完了し、ステップＳ７へ
移行する。
【００６７】
ステップＳ７では、「手書きオブジェクト削除」の処理が実行される。この処理では、
削除実行部３３が、スキャン画像取得部３１からスキャン画像Ｇを入力される。入力され
たスキャン画像Ｇからは、手書きオブジェクト取得部２７からの手書きレコード及び背景
オブジェクト取得部２９からの背景レコードに基づいて手書きオブジェクトＨＯが削除さ
れる。
【００６８】
図７は、手書きオブジェクトの削除後のスキャン画像を示す概略図である。
【００６９】
本実施例では、図５の削除前スキャン画像Ｇ上で手書きオブジェクトＨＯがテキストオ
ブジェクトＴＯに重なっているため、図７のように削除後スキャン画像Ｇ上でテキストオ
ブジェクトＴＯの削除領域（空白）Ｂが生じている。この削除後スキャン画像ＤＧは、補
完部１５に出力される。
【００７０】
また、ステップＳ７では、削除実行部３３が記憶部９のオブジェクトテーブルから削除
した手書きオブジェクトＨＯの手書きレコードも削除する。削除後のオブジェクトテーブ
ルを図８に示す。
【００７１】
こうしてステップＳ７が完了し、ステップＳ８へ移行する。
【００７２】
ステップＳ８では、「削除領域補完」の処理が実行される。この処理では、まず選択部
１７が、背景オブジェクト取得部２９からの背景レコードから背景オブジェクトの属性を
認識する。認識した背景オブジェクトの属性により、補完部１５内でイメージ用補完部３
５、ベクター用補完部３７、テキスト用補完部３９を図９の表に従って切り換える。本実
施例では、背景オブジェクトの属性が「テキスト」であるため、テキスト用補完部３９に
切り替えられる。
【００７３】
切り替え後は、それに応じて補完部１５が削除実行部３３からの削除後スキャン画像Ｄ
Ｇを受け取り、背景オブジェクトに適した処理で削除領域Ｂを埋めて補完を行う。本実施
例では、テキスト用補完部３９が削除後スキャン画像Ｇを受け取って補完を行う。
【００７４】
図１０は、補完後のスキャン画像を示す概略図である。図１０のように、補完後スキャ
ン画像ＣＧは、手書きオブジェクトＨＯの削除領域が補完されて元原稿の復元が行われて
いる。この補完後スキャン画像ＣＧにより記憶部９の画像データが上書きされる。
【００７５】
こうして補完が完了すると、ステップＳ４に戻ることになる。
【００７６】
再度のステップＳ４では、手書きレコードがないので、スキャン画像取得部３１の出力
先を出力部５に切り替えてステップＳ５へ移行する。
【００７７】
ステップＳ５では、「画像出力」の処理が行われる。この処理では、スキャン画像取得
部３１が、手書きオブジェクトＨＯが当初より存在しないスキャン画像又は補完後スキャ
ン画像ＣＧの画像データを出力部５に出力する。出力部５では、画像データに基づいて用
紙上に印刷出力を行う。
【００７８】
以上の処理により、画像処理装置１では、読み取った原稿画像から手書きオブジェクト
ＨＯを適切に削除・補完し、元原稿により近い画像データを作成することができる。この
ため、手書きで書き込みをしたドキュメントであっても、元原稿を再現した複写が可能と
なる。
［実施例の効果］
本実施例の画像処理装置１は、原稿画像の読み取りによって生成された画像データから
オブジェクトの属性を認識するオブジェクト認識部１１と、オブジェクト認識部１１によ
り認識された原稿画像に対する手書きオブジェクトＨＯを削除する削除部１３と、手書き
オブジェクトＨＯの削除領域を異なる処理で補完する複数の補完部３５，３７，３９と、
手書きオブジェクトＨＯに対する背景オブジェクトの属性に応じ相対的に補完性の高い処
理で補完を行う補完部３５，３７，３９を選択する選択部１７とを備えている。
【００７９】
従って、画像処理装置１は、削除領域を有する背景オブジェクトに適した補完を行うこ
とができ、手書きオブジェクトＨＯを削除して元原稿の復元を容易且つ確実に行うことが
できる。
【００８０】
本実施例の画像処理装置１は、生成された画像データ及び画像データから認識されたオ
ブジェクトの属性を含むオブジェクト情報を記憶する記憶部９と、画像データから画像出
力を行う出力部５とを備え、削除部１３が、記憶部９から画像データを取得すると共に手
書きオブジェクトＨＯのオブジェクト情報の有無を判断し、その手書きオブジェクトＨＯ
のオブジェクト情報がある場合に削除処理を行い、手書きオブジェクトＨＯのオブジェク
ト情報がない場合に出力部５に画像データを出力する。
【００８１】
従って、最終的に復元された元原稿を画像出力する場合には、記憶部９内での手書きオ
ブジェクトＨＯのオブジェクト情報の有無に応じ、削除・補完処理と出力処理とを削除部
１３において切り替えて行わせることができ、処理の簡素化及び迅速化を図ることができ
る。
【００８２】
本実施例の画像処理装置１では、削除部１３が、手書きオブジェクトＨＯの削除と共に
記憶部９内の手書きオブジェクトＨＯのオブジェクト情報を削除し、補完部１５が、補完
後の画像データを記憶部９内に上書きする。
【００８３】
このため、本実施例では、手書きオブジェクトＨＯが当初より存在しない画像データと
同様に補完後の画像データによる画像出力を行わせることができ、より確実に処理の簡素
化及び迅速化を図ることができる。
【符号の説明】
【００８４】
１  画像処理装置
５  出力部
７  制御部
９  記憶部
１１  オブジェクト認識部
１３  削除部
１５  補完部
１７  選択部
３５  イメージ用補完部
３７  ベクター用補完部
３９  テキスト用補完部
ＩＯ  イメージオブジェクト
ＶＯ  ベクターオブジェクト
ＴＯ  テキストオブジェクト
ＨＯ  手書きオブジェクト（付加オブジェクト）
【図１】
2015159554.tif 000003
【図２】
2015159554.tif 000004
【図３】
2015159554.tif 000005
【図４】
2015159554.tif 000006
【図５】
2015159554.tif 000007
【図６】
2015159554.tif 000008
【図７】
2015159554.tif 000009
【図８】
2015159554.tif 000010
【図９】
2015159554.tif 000011
【図１０】
2015159554.tif 000012